【誤訳訂正書】
【提出日】平成25年4月25日(2013.4.25)
【誤訳訂正１】
【訂正対象書類名】特許請求の範囲
【訂正対象項目名】全文
【訂正方法】変更
【訂正の内容】
【特許請求の範囲】
【請求項１】
ガラス系基材（１、１’）の表面（１ａ、１ａ’）のマーキング方法であって、基材（１、１’）の表面（１ａ、１ａ’）を、所定の粘度の粘性のある状態で、マーキング材料で作られた表面（４１）との機械的な接触によって、機械的にマーキングする工程であって、ポアズで定義される該基材の該粘度の常用対数が４を超えて１１以下の範囲であり、該基材表面が平面であって、併進して移動可能であり、該基材（１、１’）が与えられた速度で走行し、かつ該基材の速度よりも１０倍以上大きい線速度もしくは接線速度のマーキング手段（４０、４０’）でマーキングが実施され、該マーキング材料で作られた曲面の外面（４１）を有するマーキング手段（４０、４０’）でマーキングが実施される、工程を含むことを特徴とするマーキング方法。
【請求項２】
前記マーキング手段（４０、４０’）の前記線速度または接線速度が、基材の速度より１００倍以上大きい、請求項１記載のマーキング方法。
【請求項３】
ポアズで定義される基材（１、１’）の粘度の常用対数が４．５〜８の範囲であることを特徴とする請求項１記載のマーキング方法。
【請求項４】
ポアズで定義される基材（１、１’）の粘度の常用対数が、５．５〜６．５の範囲であることを特徴とする請求項１記載のマーキング方法。
【請求項５】
マーキングは、微細な不規則性を得さしめ、該不規則性が１０μｍ以下である粗度パラメータＲａ、および／または０．８ｍｍのガウシアンフィルタを用い、少なくとも３ミリメータの測定長さで、５μｍのピッチでの２°以上である粗度パラメータＲｄｑで定義されることを特徴とする請求項１〜４のいずれか１項記載のマーキング方法。
【請求項６】
不規則性が、基材（１、１’）上に霞がかったような、および／もしくはつや消しの外観を与える請求項５記載のマーキング方法。
【請求項７】
マーキングが、沈み込んだ、および／または浮き彫りの不規則性を既に有している面上に実施されることを特徴とする請求項１〜６のいずれか１項記載のマーキング方法。
【請求項８】
前記の表面（４１）が研磨性面および／またはブラストされた表面であり、ならびに／あるいはマーキング材料がセラミック系（４１）であることを特徴とする請求項１〜７のいずれか１項記載のマーキング方法。
【請求項９】
前記マーキング材料が、セラミック層（４１）である、請求項８記載のマーキング方法。
【請求項１０】
前記マーキング材料が、微細構造化された研磨布帛である、請求項８記載のマーキング方法。
【請求項１１】
前記の表面（４１）が、ヴィッカース硬度が５００以上であるセラミック系層であることを特徴とする請求項１〜９のいずれか１項記載のマーキング方法。
【請求項１２】
前記の表面（４１）がセラミック系の単層もしくは多層であり、ここでセラミックがジルコニウム酸マグネシウム、アルミナ／ジルコニア、炭化クロム、炭化タングステンおよび酸化クロムの物質群から選ばれる１つまたはそれ以上であることを特徴とする請求項１〜９および１１のいずれか１項記載のマーキング方法。
【請求項１３】
前記のガラス基材（１、１’）に相当するシートを形成する工程を更に含み、続いて中断なしで前記の機械的にマーキングする工程が行われることを特徴とする請求項１〜１２のいずれか１項記載のマーキング方法。
【請求項１４】
マーキングが焼きなまし炉またはアニール炉を通る前に実施されることを特徴とする請求項１〜１３のいずれか１項記載のマーキング方法。
【請求項１５】
前記のガラス基材（１、１’）に相当するシートのローリングによる形成の工程を更に含み、続いて中断なしで前記の機械的にマーキングする工程が行われることを特徴とする請求項１〜１２のいずれか１項記載のマーキング方法。
【請求項１６】
ローリングがシートに印刷する、請求項１５項記載のマーキング方法。
【請求項１７】
シート（１、１’）の面（１ａ、１ａ’）の面の温度を上げた後に実施することを特徴とする請求項１５または１６記載のマーキング方法。
【請求項１８】
垂直なまたは水平の引き出しによる前述のガラス基材に相当するシートの形成工程を更に含み、続いて中断なしで前記の機械的にマーキングする工程が行われることを特徴とする請求項１〜１２のいずれか１項記載のマーキング方法。
【請求項１９】
選択された平らな面（１ａ、１ａ’）に概ね平行な軸の周りを回転するマーキング手段（４０、４０’）でマーキングが実施され、マーキング手段が円筒形の部材を含むことを特徴とする請求項１〜１８のいずれか１項記載のマーキング方法。
【請求項２０】
選択された平らな面（１ａ、１ａ’）に概ね平行な軸の周りを回転し、また該面（１ａ、１ａ’）の上部に配置されたマーキング手段（４０、４０’）でマーキングが実施され、基材（１、１’）は併進して移動可能であり、そして運搬装置上に配置されることを特徴とする請求項１〜１９のいずれか１項記載のマーキング方法。
【請求項２１】
回転するマーキング手段が、更に前進後進運動を有することを特徴とする請求項２０記載のマーキング方法。
【請求項２２】
マーキングが、空洞の円筒形本体、または中空でない本体であって、下側に金属部分を含んでいるかまたは含んでいない本体から選ばれる回転するマーキング手段で行なわれることを特徴とする請求項１〜２１のいずれか１項記載のマーキング方法。
【請求項２３】
異なるもしくは同一のマーキング材料で作られ、また異なるもしくは同一の方向軸をもっている複数の回転手段による連続したマーキングを含んでいることを特徴とする請求項１〜２２のいずれか１項記載のマーキング方法。
【請求項２４】
ガラス基材（１、１’）であって、１つの面が請求項１〜２３のいずれか１項記載のマーキング方法によって得られる不規則性を有し、かつ５０％以上であるヘイズを有するガラス基材。
【請求項２５】
請求項１記載のマーキング方法によってマーキングされたガラス基材（１、１’）であって、１つの面がスクラッチまたは引っ掻き（rayures）型の長い形の不規則性で、少なくとも１つの方向の不規則性を有するガラス基材。
【請求項２６】
不規則性が、霞がかったような、および／もしくはつや消しの外観を与える、請求項２５記載のガラス基材。
【請求項２７】
面（１ａ、１ａ’）が、５μｍ未満である粗度パラメータＲａ、および０．８ｍｍのガウシアンフィルタを用い、また３ミリメータの測定長さで、５μｍのピッチでの２°超の粗度パラメータＲｄｑで定義される粗度を有することを特徴とする請求項２４〜２６のいずれか１項記載のガラス基材。
【請求項２８】
面（１ａ、１ａ’）が、５ｍｍ以上の間隔の、そして１μｍ〜１ｍｍの範囲の深さの、浮き彫りおよび／または陥凹部を有することを特徴とする請求項２４〜２７のいずれか１項記載のガラス基材。
【請求項２９】
前記の面（１ａ、１ａ’）が、酸エッチングのガラスよりも簡単に汚れることがなく、および／または清浄にするのが容易であることを特徴とする請求項２４〜２８のいずれか１項記載のガラス基材（１ａ、１ａ’）。
【請求項３０】
請求項２４〜２９のいずれか１項記載のガラス基材（１、１’）であって、カーテンウォール要素として、内部の配置、パーティション、家具として、小売店の付属品に、ドアとして、店の窓ガラスとして、台所、浴室の装飾要素として、窓もしくは拡散器として用いられ、または光を前方に変える要素として用いられることを特徴とするガラス基材。
【誤訳訂正２】
【訂正対象書類名】明細書
【訂正対象項目名】００５２
【訂正方法】変更
【訂正の内容】
【００５２】
好ましい実施態様では、前記の基材は与えられた速度で、好ましくは併進して、走行し、そしてマーキング手段により、好ましくは回転で、マーキングが実施されるが、線速度または接線速度は基材の速度よりも大きく、好ましくは１０倍以上大きく、または１００倍以上大きい。